(57)【要約】  【課題】  別部品を要することなくコルゲートチューブとコネクタハウジングとの間における電線の露出部分をなくして電線への傷つきを防止する。  【解決手段】  ワイヤハーネスＷ／Ｈの端末部に外装されたコルゲートチューブ１３は電線挿入部１２ａ側の端末部に先端から軸線方向に向けて切り込んだ複数のスリット１４を円周方向に間隔をあけて形成し、該スリット１４により分割された小片部１５を外方へ拡開すると共に各小片部１５をコネクタハウジング１２の背面部に被せるようにして装着している。また、コルゲートチューブ１３は小片部１５がコネクタハウジング１２に被せられた状態で固定するため、他端と電線束１１との間にテープＴを巻き付けて位置決め固定している。  【選択図】  図１
2006059577.tif 000002
【特許請求の範囲】
【請求項１】
コネクタハウジングの電線挿入部に挿入される電線をコルゲートチューブで外装してなるワイヤハーネスの保護構造であって、
上記コルゲートチューブには電線挿入部側の端末部に先端から軸線方向に向けて切り込んだ複数のスリットを円周方向に間隔をあけて形成し、該スリットにより分割された小片部を外方へ拡開すると共に各小片部をコネクタハウジングの背面部に被せるようにして装着していることを特徴とするワイヤハーネスの保護構造。
【請求項２】
上記コルゲートチューブにおいて、小片部とは反対側の基端部と電線の外周との間にテープ巻き処理を施し、上記小片部がコネクタハウジングの背面部に被さった状態でのコルゲートチューブの外装位置を固定している請求項１に記載のワイヤハーネスの保護構造。
【発明の詳細な説明】
【技術分野】
【０００１】
本発明は、ワイヤハーネスの保護構造に関し、別部品を要することなくコネクタハウジングに導入される電線をコルゲートチューブで確実に保護することができるようにするものである。
【背景技術】
【０００２】
一般に自動車用のワイヤハーネスでは、特定部位の電線を保護するために合成樹脂製のコルゲートチューブを外装している。このコルゲートチューブ１は、図４（Ａ）に示すように、電線Ｗの端末に取り付けられたコネクタ２への導入部分においては、僅かながら隙間３が生じて電線Ｗの一部が露出した状態となる場合がある。このため、車両へのワイヤハーネスの組付け作業時に電線Ｗの露出した部分に車体パネルのエッジや各種機器が接触して電線Ｗの露出部分が損傷を受けることがある。また、コルゲートチューブ１の端面のエッジ部１ａは鋭利な状態となっている場合があり、車両走行中の振動などによりコルゲートチューブ１のエッジ部１ａが電線Ｗの露出部分に頻繁に当接することで電線Ｗを傷つけるおそれもある。
【０００３】
このため、上記のように電線Ｗの露出部分に対し、図４（Ｂ）に示すように、コルゲートチューブ１の端部とコネクタハウジング２ａの背面部との間に合成樹脂製のカバー４を取り付け、電線Ｗの露出部分を完全に被覆して保護する対策が施されている。このようなカバー４を取り付けた保護構造は、例えば特許文献１に記載のものが知られている。
【特許文献１】特開２００４−１７２０６７号公報
【発明の開示】
【発明が解決しようとする課題】
【０００４】
上記のようにコルゲートチューブ１の端部とコネクタハウジング２ａの背面部との間に別体のカバー４を取り付けたものにおいては、カバー４によって電線Ｗの露出部分が完全に覆われるので電線Ｗへの傷つきを確実に防止できるが、別体の追加部品を要するため、部品点数および組付け工数が増加してコスト高となる問題があった。更に、別部品としてのカバー４は、コルゲートチューブ１とコネクタハウジング２ａの形状に合致させなければならないため、多種類のカバー４を準備しておかねばならず、更なるコスト高の要因になると共に、管理面でも煩雑となる等の問題があった。
【０００５】
本発明は上記した問題に鑑みてなされたもので、別部品を要することなくコルゲートチューブとコネクタハウジングとの間における電線の露出部分をなくして電線への傷つきを防止するようにしたワイヤハーネスの保護構造を提供することを課題としている。
【課題を解決するための手段】
【０００６】
上記課題を解決するため、本発明では、コネクタハウジングの電線挿入部に挿入される電線をコルゲートチューブで外装してなるワイヤハーネスの保護構造であって、
上記コルゲートチューブには電線挿入部側の端末部に先端から軸線方向に向けて切り込んだ複数のスリットを円周方向に間隔をあけて形成し、該スリットにより分割された小片部を外方へ拡開すると共に各小片部をコネクタハウジングの背面部に被せるようにして装着していることを特徴とするワイヤハーネスの保護構造を提供している。
【０００７】
上記構成によれば、スリットによって拡開された複数の小片部がコネクタハウジングの背面部に被せられているので、コルゲートチューブとコネクタハウジングとの間で電線が露出することがなく、コルゲートチューブのみによって電線を確実に保護することができる。また、コルゲートチューブの先端のエッジ部分は小片部の拡開に伴って外方へ広げられているため、エッジ部が電線外周に直接触れるおそれがなく、エッジ部による電線への傷つきも防止できる。
なお、電線に外装するコルゲートチューブとしては、軸線方向に割溝が形成された半割タイプと、割り溝のないタイプのいずれの場合にも適用することができる。
【０００８】
更に具体的には、上記コルゲートチューブにおいて、小片部とは反対側の基端部と電線の外周との間にテープ巻き処理を施し、上記小片部がコネクタハウジングの背面部に被さった状態でのコルゲートチューブの外装位置を固定している。
このようにすれば、ワイヤハーネスが屈曲された場合等においても、電線に外装されたコルゲートチューブの位置ずれを防止でき、小片部がコネクタハウジングの背面部から外れることがない。
【発明の効果】
【０００９】
以上の説明より明らかなように、本発明のワイヤハーネスの保護構造によれば、コルゲートチューブの先端に形成したスリットを介して拡開する小片部がコネクタハウジングの背面部に被さることによってコルゲートチューブの先端とコネクタハウジングとの間において電線が露出することがない。よって、カバー等の別部材を要することなくコルゲートチューブのみで電線を確実に外装保護することができる。
【発明を実施するための最良の形態】
【００１０】
以下、本発明の実施形態を図面を参照して説明する。
図１〜図３は、本発明におけるワイヤハーネスの保護構造の実施形態を示し、ワイヤハーネスＷ／Ｈを構成する電線束１１の端末部の各電線Ｗは先端に端子金具（図示せず）が圧着され、この端子金具をコネクタハウジング１２の背面の電線挿入部１２ａから内部へ挿入して係止固定している。そして、特に電線Ｗの保護が必要な箇所には、合成樹脂製よりなる蛇腹状のコルゲートチューブ１３を所要の領域にわたって外装するようにしている。本実施形態ではコルゲートチューブ１３として軸線方向に割溝１３ａの入った半割タイプのものを使用している。
【００１１】
コルゲートチューブ１３の一端には図２（Ａ）に示すように、コネクタハウジング１２の電線挿入部１２ａ側に外装する部分の先端から軸線方向に向けて所要深さ寸法にわたって切り込んだ複数のスリット１４を形成している。本実施形態においては、図２（Ｂ）に示すように、スリット１４は円周方向に６等分割する位置に形成し、このスリット１４を介して６個の小片部１５を設けている。そして、各小片部１５は、図２（Ｃ）に示すように、それぞれ独立して拡開方向に弾性的に変形可能となるようにしている。なお、スリット１４のうち１つはコルゲートチューブ１３の割溝１３ａを代用してもよい。
【００１２】
次に、本発明にかかるワイヤハーネスの保護構造の組立て工程について説明すると、先ず図３（Ａ）に示すように、コネクタハウジング１２の電線挿入部１２ａ側から複数の電線Ｗが挿入係止された状態のワイヤハーネスＷ／Ｈを組み立てる。次いで、電線Ｗを保護べき範囲に対応する長さと略合致する長さに切断されたコルゲートチューブ１３を準備すると共に、その一端部にスリット１４を切り込み形成して複数の小片部１５が分割可能な状態にしておく。そして、図３（Ｂ）に示すように、コルゲートチューブ１３の割溝１３ａを広げながらコルゲートチューブ１３を電線束１１の外周に装着する。この段階では、コルゲートチューブ１３の先端とコネクタハウジング１２の電線挿入部１２ａとの間に隙間Ｓがあって電線Ｗが一部露出した状態となっている。
【００１３】
上記のようにして電線束１１にコルゲートチューブ１３を外装するに際し、各小片部１５はコネクタハウジング１２の電線挿入部１２ａ側に対向位置させるようにし、次いで、図３（Ｃ）に示すように、コルゲートチューブ１３をコネクタハウジング１２の電線挿入部１２ａ側に向けて押圧することで各小片部１５は電線挿入部１２ａの端面に当接すると共に、その外形に沿って拡開変形する。これにより、各小片部１５はコネクタハウジング１２の電線挿入部１２ａに被さった状態となり、コネクタハウジング１２とコルゲートチューブ１３との間に電線Ｗが露出するのを防止している。
【００１４】
次いで、図１に示すように、小片部１５がコネクタハウジング１２の電線挿入部１２ａ側に被せられた状態を維持させるため、コルゲートチューブ１３の他端の基端部と電線束１１の外面との間にテープＴを巻き付けるようにしている。このテープＴの巻き付け処理により、コルゲートチューブ１３の小片部１５がコネクタハウジング１２の電線挿入部１２ａ側に押し付けられた状態でコルゲートチューブ１３の外装位置を固定している。これにより、コルゲートチューブ１３が電線束１１と共に屈曲された場合においても、小片部１５が若干引き戻されるのみで、コネクタハウジング１２とコルゲートチューブ１３との間に隙間Ｓが生じることはない。また、コルゲートチューブ１３のエッジ部１３ｂが鋭利な状態になっていても、小片部１５が拡開されているので、エッジ部１３ｂが電線Ｗの外周に接触することがなく、よって電線Ｗを傷つけるおそれもない。
【００１５】
なお、コルゲートチューブ１３における小片部１５のスリット１４の切り込み深さは、被せるべきコネクタハウジング１２の大きさに対応してその寸法を適宜設定している。また、上記実施形態では、コルゲートチューブ１３として割溝１３ａの入った半割タイプを用いた例を示したが、コルゲートチューブ１３として、割溝１３ａの入っていないものを用いることもできる。ただし、この場合、電線束１１の端末にコネクタハウジング１２を取り付ける前に電線束１１の外周にコルゲートチューブ１３を挿入しておく必要がある。また、スリット１４により分割形成した小片部１５の数もコルゲートチューブ１３の外径、コネクタハウジング１２の大きさにより適宜増減調整することができる。
【図面の簡単な説明】
【００１６】
【図１】本発明のワイヤハーネスの保護構造を示す斜視図である。
【図２】（Ａ）はコルゲートチューブの斜視図、（Ｂ）はコルゲートチューブの端面図、（Ｃ）は小片部を拡開した状態の斜視図である。
【図３】（Ａ）〜（Ｃ）はワイヤハーネスの保護構造の組立て工程を示し、（Ａ）はコルゲートチューブの外装前の状態を示すワイヤハーネス端末の斜視図、（Ｂ）は電線の所要箇所にコルゲートチューブを外装した状態の斜視図、（Ｃ）は小片部をコネクタハウジングの背面部に被せた状態の斜視図である。
【図４】（Ａ）（Ｂ）は従来例を示す斜視図である。
【符号の説明】
【００１７】
１２  コネクタハウジング
１２ａ  電線挿入部
１３  コルゲートチューブ
１４  スリット
１５  小片部
Ｗ／Ｈ  ワイヤハーネス
Ｗ  電線
Ｔ  テープ
【図１】
2006059577.tif 000003
【図２】
2006059577.tif 000004
【図３】
2006059577.tif 000005
【図４】
2006059577.tif 000006